(57)【要約】      （修正有）【課題】植物棚を有し室内環境の雰囲気をさらに改善することができる植物棚パーティションを提供する。【解決手段】上部を開口した横長の中空台部１と、該中空台部１の内部の両端部に設けられた保持具４にそれぞれ下端が嵌め込まれて起立固定される板状の支柱２と、該板状の支柱２のそれぞれ内側面の対向部に適数段で設けられたプランター保持部材３の係合部７と、該プランター保持部材３の係合部７にそれぞれ両端部が係合支持される断面略Ｕ字状のプランター保持部材３と、からなり、中空台部１、板状の支柱２及びプランター保持部材３の素材が木材である。【選択図】図２
0003214445.tif 000002
【実用新案登録請求の範囲】
【請求項１】
上部を開口した横長の中空台部と、該中空台部の内部の両端部に設けられた保持具にそれぞれ下端が嵌め込まれて起立固定される板状の支柱と、該板状の支柱のそれぞれ内側面の対向部に適数段で設けられたプランター保持部材の係合部と、該プランター保持部材の係合部にそれぞれ両端部が係合支持される断面略Ｕ字状のプランター保持部材と、からなり、前記中空台部、板状の支柱及びプランター保持部材の素材が木材であることを特徴とするプ植物棚パーティション。
【請求項２】
前記中空台部の内部に、該内部を上下二段に区分する区画板の支持部を設けたことを特徴とする請求項１に記載の植物棚パーティション。
【請求項３】
前記板状の支柱板のプランター保持部材の係合部の間に窓孔を設けたことを特徴とする請求項１または２に記載の植物棚パーティション。
【考案の詳細な説明】
【技術分野】
【０００１】
本考案は、室内環境の雰囲気を改善する植物棚パーティションに関する。
【背景技術】
【０００２】
出願人は、所定間隔をあけて起立させた支柱間に、上下間隔をあけて草花等が植えられたプランターを収容するプランター支持部材を設けたパーティションを提案している（特許文献１、特許文献２）。
【先行技術文献】
【特許文献】
【０００３】
【特許文献１】登録実用新案第３１７２１６０号
【特許文献２】登録実用新案第３１６５２４６号前記実用新案は、オフィス、ミーティングスペース等の室内環境の雰囲気を改善する効果を有するパーティションとして有効である。
【考案の概要】
【考案が解決しようとする課題】
【０００４】
本考案は、植物棚を有し、素材として木材を使用して室内環境の雰囲気をさらに改善することを目的とする。また、組み立て及び流通過程等における取扱いが容易であり、安定性に優れたパーティションを提供することを目的とする。
【課題を解決するための手段】
【０００５】
前記課題を解決するため、本考案の植物棚パーティションは、上部を開口した横長の中空台部と、該中空台部の内部の両端部に設けられた保持具にそれぞれ下端が嵌め込まれて起立固定される板状の支柱と、該板状の支柱のそれぞれ内側面の対向部に適数段に設けられたプランター保持部材の係合部と、該プランター保持部材の係合部にそれぞれ両端部が係合支持されるプランター保持部材と、からり、前記中空台部、板状の支柱及びプランター保持部材の素材が木材であることを特徴とする（請求項１）。
【０００６】
前記構成によれば中空台部、板状の支柱及びプランター保持部材を木材で構成したことにより、木目調の暖かさを感じることができるとともに植物棚と相俟って室内環境の雰囲気をさらに改善することができる。
【０００７】
さらに、前記上部を開口した横長の中空台部、板状の支柱及びプランター保持部材を準備すれば、容易に組み立てることができる。また、分解、格納等により流通過程、その他、取り扱いが容易である。また、中空台部としたことにより安定性が確保されて振動や誤って接触等した場合の転倒等が防止される。
【０００８】
本考案の実施の一形態は、前記中空台部の内部に、該内部を上下二段に区分する区画板の支持部を設けたことを特徴とする（請求項２）。この実施の一形態によれば、前記区画板の支持部に区画板を載置し、該区画板で区分された下部空間に災害緊急時等に必要とする飲料水、薬剤等を格納し、区画板の上面に鉢植えのプランターを置くなどして中空台部の内部空間を有効利用できる。
【０００９】
本発明の実施の一形態は、前記板状の支柱のプランター保持部材の係合部間に窓孔を設けたことを特徴とする（請求項３）。この実施の一形態によれば、前記板状の支柱側からも窓孔を通して草花を見ることができるので室内環境の雰囲気を改善することができる。
【考案の効果】
【００１０】
本考案によれば、木材の木目調の暖かさと植物棚によって室内環境の雰囲気をさらに改善することができる。また、組み立て及び流通過程等における取扱いが容易であり、さらに安定性が確保されたパーティションを提供することができる。
【図面の簡単な説明】
【００１１】
【図１】本考案の実施の一形態に係る植物棚パーティションの使用状態を示す斜視図である。
【図２】図１の分解斜視図である。
【図３】図２の一部拡大斜視図である。
【考案を実施するための形態】
【００１２】
以下に、図面を参考に本考案の一実施例を説明する。
【００１３】
本考案は、上部を開口した横長の中空台部１、該中空台部１の内部の両端部に起立固定される板状の支柱２，２及び該板状の支柱２，２間に両端部が係合支持される適数段のプランター保持部材３とからなる。
【００１４】
本考案では、前記中空台部１、板状の支柱２，２及びプランター保持部材３の素材は木材である。該木材は一般の木材のほか、間伐材、合板などその種類は問わない。なお、木目が強調された素材が好ましい。また、着色してもよい。
【００１５】
前記中空台部１の内部の両端部には、前記板状の支柱２，２の下端が嵌め込まれて該板状の支柱２，２を起立固定する略コ字状の保持具４がそれぞれ上下に間隔をあけて設けられている。
【００１６】
さらに、前記中空台部１の内部の両側面に、中空台部１の内部を上下二段に区分するための区画板５の支持部６が設けられる。該支持部６は、図面実施例では、前記中空台部１の内部の両側面の上下略中間位置に細幅の板材を内側に突出させた状態に設けている。なお、前記支持部６は前記板状の支柱２，２の略コ字状の保持具４の部分を避けて設けられている。
【００１７】
前記構成の中空台部１の内部を前記区画板５で上下二段に区分した場合には下部空間には緊急時に必要とする飲料水、薬剤、その他の物品Ｂを格納することができる。また、前記区画板５の上面は鉢植えの草花Ｆを並べて使用することができる。
【００１８】
つぎに、前記板状の支柱２，２のそれぞれ内側面の対向部に前記プランター保持部材３の係合部７が適数段に設けられる。なお、前記プランター保持部材３は断面略Ｕ字状に構成されて内部に鉢植えのプランターＰが適数収容される。
【００１９】
図面実施例では、前記プランター保持部材３の係合部７は鈎状の金具で構成されている。さらに、前記板状の支柱２，２の上下プランター係合部７間には窓孔８が設けられる。
【００２０】
つぎに、前記プランター保持部材３の係合部７には、前記プランター保持部材３のそれぞれ両端部が係合支持される。すなわち、該プランター保持部材３の底部の両端に前記係合部７を受け入れる溝部９が形成されている。そして、前記係合部７に溝部９が適合して前記板状の支柱２，２と前記プランター保持部材３が前記係合部７を介して連結される。
【００２１】
図中、１０は前記係合部７の下面から螺合されて前記プランター保持部材３を前記係合部７に完全固定するねじである。
【００２２】
前記構成の本考案は、植物棚を有すること、素材として木材を使用することにより、室内環境の雰囲気をさらに改善することができる。また、組み立て及び流通過程における取扱いがよういであり、安定性に優れ、前記中空台部の内部を有効できるものである。
【符号の説明】
【００２３】
１      中空台部
２，２  板状の支柱
３      プランター支持部材
６      区画板の支持部
７      プランター係合部
８      窓孔
【図１】
0003214445.tif 000003
【図２】
0003214445.tif 000004
【図３】
0003214445.tif 000005